(57)【要約】【課題】急須本体内の温度を常に把握することにより、必要な温度でお茶、コーヒーを点てることができる急須温度センサー装置を提供する。      【解決手段】急須温度センサー装置は、常に急須内の温度を把握する急須温度センサー装置で、主に急須本体、急須蓋及び検知ユニットを含む。この急須蓋は自動加熱作用を具えない蓋体口に被せ、検知ユニットは急須蓋上に設置する。検知ユニットは蓋体内の温度を測るセンサー部品及び使用者が温度の数値を見るための表示部品を含む。これらによって急須本体を加熱装置に置いて加熱した時、もしくは加熱後冷却していく過程において、急須蓋上のセンサー部品によって急須本体内の温度を検知し、且つその検知した温度を表示部品上に表示する。【選択図】図１
0003127431.tif 000002
【実用新案登録請求の範囲】
【請求項１】
加熱装置上に置いて加熱し、且つ急須本体上に開口が上向きの口を形成する急須本体と、
急須本体の口に被せ、且つ中心にはツマミを設置する急須蓋と、
急須蓋のツマミ上に設置し、且つ水温を計測するセンサー部品を具え、且つツマミの周辺縁には温度数値を表示する表示部品を設置する検知ユニットから構成された急須温度センサー装置において、
これらによって、急須本体内の水温を計測し、且つ即時に検知した温度を表示することを特徴とする急須温度センサー装置。
【請求項２】
前記急須本体は、その材質が金属、陶磁もしくはガラス等高温加熱が可能な材質で製造することを特徴とする請求項１記載の急須温度センサー装置。
【請求項３】
前記急須蓋は、中心に穿孔を貫設し、ツマミには穿孔に差し込む延長管を具え、固定ネジで急須蓋内面から上向きにツマミを設置することを特徴とする請求項１記載の急須温度センサー装置。
【請求項４】
前記ツマミは、内部に検知ユニットを納置する納置空間を形成し、ツマミの周辺縁には納置空間と連通する窓を形成し、その窓に検知ユニットの表示部品を嵌合することを特徴とする請求項１記載の急須温度センサー装置。
【請求項５】
前記センサー部品は、センサーＩＣもしくはセンサーブルドン管等センサー機能を具えた部品で、ツマミは急須本体内部と検知ユニットが連通する通孔を形成し、熱気で水温を計測することを特徴とする請求項１もしくは４記載の急須温度センサー装置。
【請求項６】
前記センサー部品は、センサー棒を設置し、そのセンサー棒は下向きに急須本体内に入れ、急須本体内の水温を直接計測することを特徴とする請求項１もしくは４記載の急須温度センサー装置。
【請求項７】
前記表示部品は、液晶表示器、指針計等温度数値を表示する部品とすることを特徴とする請求項１記載の急須温度センサー装置。
【請求項８】
前記検知ユニットは、警報設定ユニットを加え、使用者が設定した温度に達すると、警報を発して知らせることを特徴とする請求項１記載の急須温度センサー装置。
【考案の詳細な説明】
【技術分野】
【０００１】
本考案は、急須温度センサー装置に関するもので、即時に内部の温度を検知し、利便性を高めるものである。
【背景技術】
【０００２】
一般にお茶もしくはコーヒーを点てる場合、１００℃の沸騰した湯は適さない。例として茶葉の適正温度は７０℃〜１００℃で、そのうち茶葉の種類によって異なる。緑茶は７０℃〜７２℃がよく、高山茶、春茶、ウーロン茶は８５℃〜８８℃が適する。また紅茶は９０℃〜９２℃が良い（沸騰させた後、その温度まで下げる）。つまり茶葉が青いほど、点てる温度は低くなり、それによって味がはっきりと味わい深く、またビタミンＣが壊れにくくなる。また、コーヒーは８８℃〜９５℃の間がよく、例として減焙煎のコーヒーは９２℃〜９５℃、中焙煎のコーヒーは９０℃〜９３℃、深焙煎のコーヒーは８８℃〜９０℃がよい。これらの適正温度が香り、味、風味に決定的な影響を与える。
【０００３】
茶葉もしくはコーヒーを点てるのに慣れている人は、自身の経験や感でその点てる温度を判断している(沸騰させた後、その温度まで下げる)。また経験の浅い人が温度を把握するには温度計で測るしかない。しかしながら、温度を有効に把握するにしても温度計で測るにしてもどちらにも異なる問題がある。経験者に依る判断の正確度はそれほど高くない上、気分や設備等の差異により判断に影響を与える。温度計で測るのは不便であり、且つ継続して測ることができない。
【０００４】
つまり現在の急須は内部の温度が下がる過程に於いて内部の水温を常に把握して使用者に提供することができないため、茶葉もしくはコーヒーの品質に影響し、常に水温を測らなければならない。
【考案の開示】
【考案が解決しようとする課題】
【０００５】
解決しようとする問題点は、急須内の温度を有効に随時検知できない点である。
【課題を解決するための手段】
【０００６】
本考案は、常に急須内の温度を把握する急須温度センサー装置で、主に急須本体、急須蓋及び検知ユニットを含む。この急須蓋は自動加熱作用を具えない蓋体口に被せ、検知ユニットは急須蓋上に設置する。検知ユニットは蓋体内の温度を測るセンサー部品及び使用者が温度の数値を見るための表示部品を含む。これらによって急須本体を加熱装置に置いて加熱した時、もしくは加熱後冷却していく過程において、急須蓋上のセンサー部品によって急須本体内の温度を検知し、且つその検知した温度を表示部品上に表示することを最も主要な特徴とする。
【考案の効果】
【０００７】
本考案の急須温度センサー装置は、急須本体内の温度を常に把握することにより、必要な温度でお茶、コーヒーを点てるという利点がある。
【考案を実施するための最良の形態】
【０００８】
本考案は急須温度センサー装置を提供し、即時に正確な水温を把握し、便利性を高めることを目的とする。
【０００９】
この目的により、本考案は主に下述の方法を用いる。本考案は、急須本体、急須蓋、検知ユニットを含み、そのうち、
急須本体は、加熱装置に置いて加熱し、且つ急須本体上には開口が上向きの口が形成される。
急須蓋は、急須本体の口に被せ、且つ急須蓋の中心にはツマミを設置する。
検知ユニットは、急須蓋のツマミ上に設置し、且つ検知ユニットは水温を計測するセンサー部品を具え、且つ検知ユニットはツマミの周辺縁に温度数値を表示する表示部品を設置する。
【００１０】
これらにより、本考案は、急須本体で加熱した時、もしくは加熱後冷却する過程に於いて、急須蓋上のセンサー部品で急須本体内の温度を計測し、且つその計測した温度を表示部品上に表示し、使用者はその表示部品により、急須本体内の温度を把握する。
【実施例】
【００１１】
図１、３に示すとおり、本考案は急須本体１０、急須蓋１５及び検知ユニット２０を含む。そのうち検知ユニット２０は急須蓋１５上に設置し、急須蓋１５は急須本体１０の口に被せ、且つ急須本体１０を加熱装置３０上で加熱する。
【００１２】
本考案の実施例は、図１、３、４に示すとおり、急須本体１０は金属、陶磁もしくはガラスなど高温加熱が可能な材質とする。更に急須本体１０上には上向きに開いた口を成形し、また急須本体１０周辺縁には取っ手及び注ぎ口を設置し、口に蓋をする急須蓋１５中心に穿孔１５０を貫設し、且つ急須蓋１５中心にツマミ１６を設置する。またツマミ１６には急須蓋１５の穿孔１５０に差し込む延長管１７を具え、固定ネジ１８を急須蓋１５内面から上向きにツマミ１６の延長管１７を差し込んで固定する。
【００１３】
このツマミ１６内部には納置空間１６０が形成され、そこに前述の検知ユニット２０を差し込み、続いてツマミ１６最上面もしくは周辺縁に納置空間１６０と連通する窓１６１が形成される。更に延長管１７中央にネジ孔１７０が形成され、別に延長管１７に固定した固定ネジ１８中心には納置空間１６０に連通する通孔１８０が形成される。
【００１４】
ツマミ１６の納置空間１６０内の検知ユニット２０には、センサー部品２１を具える。そのセンサー部品２１はセンサーＩＣもしくはセンサーブルドン管等温度センサー機能を具えた部品とし、熱気体が固定ネジ１８の通孔１８０を経てツマミ１６の納置空間１６０へ進入し、センサー部品２１で温度を測る。更にセンサー部品２１はセンサー棒２２を固定し(図５参照)、そのセンサー棒２が下向きに急須本体１０内に入り、急須本体１０内の水温を直接計測する。そして検知ユニット２０はツマミ１６の最上面の窓１６１（図１参照）、もしくは周辺の窓１６１(図２参照)に表示部品２５を設置する。この表示部品２５は液晶モニターで、温度の数値を表示する部品である。本考案の表示部品２５は液晶モニターを主な実施例とし、使用者は即座に温度数値を把握することができる。
【００１５】
これらにより、急須本体１０内の水温を直接測り、且つ即座に検知温度を表示する。
【００１６】
本考案の異なる実施例として、図６、７、８及び９に示すとおり、この急須はガラス円形の急須本体５０で、且つ急須本体５０の口に急須蓋５５を被せる。この急須蓋５５中心には穿孔５５０が形成され、固定ネジ５８で延長管５７を具えたツマミ５６を固定する。そのうちツマミ５６内部には納置空間５６０が形成され、更にツマミ５６周辺縁(図７参照)もしくは最上面(図８参照)に納置空間５６０と連通した窓５６１が形成され、更に延長管５７中央にはネジ孔５７０が形成され、別に固定ネジ５８中央には納置空間５６０に連通する通孔５８０が形成される。
【００１７】
ツマミ５６の納置空間５６０内には検知ユニット７０を設置する。この検知ユニット７０はセンサー部品７１を具え、そのセンサー部品７１はセンサーＩＣもしくはセンサーブルドン管など温度センサー機能を具えた部品とする。更にセンサー部品７１は下向きに伸びたセンサー棒７２を固定し（図８参照）、急須本体５０内の水温を直接測り、検知ユニット７０はツマミ５６の周辺縁の窓５６１(図７参照)もしくは最上面の窓５６１(図８参照)に表示ユニット７５を設置し、その表示ユニット７５は指針計とし、使用者が即座に温度を把握する。更に本考案では電子技術により、検知ユニット２０，７０内に警報設定ユニットを設置し、使用者が設定した温度に達すると、警報を発する。
【００１８】
本考案を実際に使用する時に発生する効果と実用価値は、図４及び図９に示すとおりである。使用者が急須の急須本体１０，５０を加熱装置３０に置き、加熱もしくは沸騰させ、冷却するのを待つ場合、急須本体１０，５０内の水から熱が発生し、その熱気が固定ネジ１８，５８の通孔１８０、５８０を経てツマミ１６、５６の納置空間１６０、５６０内に進入し、検知ユニット２０、７０のセンサー部品２１、７１で温度を計測する。またセンサー棒２２、７２でも直接急須本体１０内の水温を測り、且つ温度を検知した後、表示部品２５の液晶モニターもしくは指針計上に表示し、使用者がお茶やコーヒーを点てる時に必要な温度を把握することができ、外的要素により影響を受けず、飲み物を丁度良い温度で点てて、味を高め、且つ便利である。
【図面の簡単な説明】
【００１９】
【図１】本考案の立体外観指示図である。
【図２】本考案の別の実施例の立体外観図である。
【図３】本考案の立体分解指示図で、本考案の構成及びその相対関係図である。
【図４】本考案の局部断面指示図である。
【図５】本考案の第二種の立体分解図である。
【図６】本考案の第三種立体分解図である。
【図７】本考案の第三種の立体外観図である。
【図８】本考案の第四種の立体分解指示図である。
【図９】本考案の第四種の局部断面指示図である。
【符号の説明】
【００２０】
１０        急須本体
１５        急須蓋
１５０        穿孔
１６        ツマミ
１６０        納置空間
１６１        窓
１７        延長管
１７０        ネジ孔
１８        固定ネジ
１８０        通孔
２０        検知ユニット
２１        センサー部品
２２        センサー棒
２５        表示部品
３０        加熱装置
５０        急須本体
５５        急須蓋
５５０        穿孔
５６        ツマミ
５６０        納置空間
５６１        窓
５７        延長管
５７０        ネジ孔
５８        固定ネジ
５８０        通孔
７０        検知ユニット
７１        センサー部品
７２        センサー棒
７５        表示部品
【図１】
0003127431.tif 000003
【図２】
0003127431.tif 000004
【図３】
0003127431.tif 000005
【図４】
0003127431.tif 000006
【図５】
0003127431.tif 000007
【図６】
0003127431.tif 000008
【図７】
0003127431.tif 000009
【図８】
0003127431.tif 000010
【図９】
0003127431.tif 000011